(57)【特許請求の範囲】
【請求項１】
コネクターを介して第一ディスプレイカードと第二ディスプレイカードとで映像信号の処理を行うステップであって、前記第一ディスプレイカードと前記第二ディスプレイカードは、それぞれノースブリッジチップとサウスブリッジチップによって個別に制御され、上記ノースブリッジチップとサウスブリッジチップは、それぞれ第一スロットと第二スロットを提供し、前記第一スロットと前記第二スロットは共にＰＣＩ−Ｅ（ＰＣＩ-ＥＸｐｒｅｓｓ）のインターフェースであり、前記第一ディスプレイカードと前記第二ディスプレイカードは、それぞれ前記第一スロットと前記第二スロットに挿入されており、前記第一ディスプレイカードと前記第二ディスプレイカードは、上記コネクターを介して相互にデータを伝送しながら、共同で映像信号の処理を行うステップと、
処理された映像信号を、第一ディスプレイカードと第二ディスプレイカードとで分担しながら、第１ディスプレイカードと第二ディスプレイカードを介して出力するステップと、
を含むことを特徴とするマルチディスプレイカードの表示方法。
【請求項２】
前記ＰＣＩ−Ｅ（ＰＣＩ-Ｅｘｐｒｅｓｓ）のインターフェースの仕様が、ＰＣＩ−Ｅ×１６であることを特徴とする、請求項１に記載されたマルチディスプレイカードの表示方法。
【請求項３】
少なくとも一個の第一スロットを備え、この第一スロットはＰＣＩ−Ｅ（ＰＣＩ-Ｅｘｐｒｅｓｓ）のインターフェースを有する、第一チップとしてのノースブリッジチップと、
少なくとも一個の第二スロットを備え、この第二スロットはＰＣＩ−Ｅ（ＰＣＩ-Ｅｘｐｒｅｓｓ）のインターフェースを有する、第二チップとしてのサウスブリッジチップと、
前記第一スロットに挿入される第一ディスプレイカードと、
前記第二スロットに挿入される第二ディスプレイカードと、
前記第一ディスプレイカードと前記第二ディスプレイカードの間でデータ伝送を行うように、前記第一ディスプレイカードと前記第二ディスプレイカードとを接続するコネクターとを備え、
前記第一チップ及び前記第二チップがそれぞれ前記第一ディスプレイカード及び前記第二ディスプレイカードを制御し、前記第一ディスプレイカードと前記第二ディスプレイカードは、前記コネクターを介して相互にデータを伝送しながら、共同で演算処理を行い、前記ビデオ信号を出力することを特徴とするマルチディスプレイカードの表示装置。
【請求項４】
前記ＰＣＩ−Ｅ（ＰＣＩ-Ｅｘｐｒｅｓｓ）のインターフェースの仕様がＰＣＩ−Ｅ×１６であることを特徴とする、請求項３に記載されたマルチディスプレイカードの表示装置。
【請求項５】
前記ビデオ信号が前記第一ディスプレイカードにより出力されることを特徴とする、請求項３に記載されたマルチディスプレイカードの表示装置。
【発明の詳細な説明】
【技術分野】
【０００１】
本発明は、表示装置及びその表示方法に関するもので、特にマルチディスプレイカードを利用してなされる表示装置及びその表示方法に関するものである。
【背景技術】
【０００２】
３Ｄゲームの高画質動態映像技術の発展に伴い、相応するより速い映像処理を提供する必要性が高まり、これにより大量に処理されるデータの量に対処することが可能となる。
【０００３】
コンピューター・システムについて言うと、ディスプレイカードは映像処理の主要部分を担当し、映像処理速度を加速するためには、ディスプレイカード内のグラフィクチップの演算能力を高めるほか、複数枚のディスプレイカードを同時に利用することにより、映像処理を向上させることが可能となる。現在ある複数枚のディスプレイカードによる映像処理技術の中で、最も注目されているのは、NVIDIA社が出しているSLI（Scalable Link Interface；SLI）技術である。第1図に示されたマルチディスプレイカードのシステム構成図がそれであり、即ちSLIが採用されるシステムのことである。このSLI技術はメインボードの上に２枚のディスプレイカードを挿入し、かつメインボード上のノースブリッジチップ７０が２組のPCI-E（PCI-Express）インターフェース仕様の第一スロット７１と第二スロット７２を提供し、第一スロット71と第二スロット７２に第一ディスプレイカード８１と第二ディスプレイカード８２がそれぞれ挿入され、第一ディスプレイカード８１・第二ディスプレイカード８２間がコネクター９０により接続され、第一ディスプレイカード８１と第二ディスプレイカード８２はコネクター９０を介して互いにデータを伝送する。
【０００４】
SLI技術を利用した第一ディスプレイカード８１と第二ディスプレイカード８２は、各々のグラフィクチップ（GPU）が通信規格によりサポートされるのが必須であり、さらに第一ディスプレイカード８１と第二ディスプレイカード８２は、高速デジタルインターフェースによるサポートを要し、これをもってコネクター９０により接続され、最後にドライバーが、動態負荷バランスや色彩の制御、および機能を合成してフレーム率を確保することに関連する制御を行い、ディスプレイカードの中で主要な一枚がビデオ信号を出力する。
【０００５】
以上のように、二枚のディスプレイカードが映像を並列に処理する運用技術によって、確実にディスプレイ能力を飛躍的にアップさせる効果をもたらすことが可能となる。
【０００６】
しかしながら、SLI技術を実際に適用する場合、必ずノースブリッジチップ７０のうちの２組のPCI-E×16のスロットに２枚のディスプレイカードに挿入して使用する必要があり、現在は、SLI技術をサポートする別のチップがなく、ノースブリッジチップ７０の運用負担を軽減させる必要があった。
【発明の開示】
【発明が解決しようとする課題】
【０００７】
本発明で解決しようとしている技術問題は、複数組のチップを利用してSLI技術の実現を図り、映像処理の作業能力をアップできるマルチディスプレイカードの表示装置及びその方法を提供することである。
【課題を解決するための手段】
【０００８】
本発明に係るマルチディスプレイカードの表示方法は、コネクターを介して第一ディスプレイカードと第二ディスプレイカードとで映像信号の処理を行うステップであって、前記第一ディスプレイカードと前記第二ディスプレイカードは、それぞれノースブリッジチップとサウスブリッジチップによって個別に制御され、上記ノースブリッジチップとサウスブリッジチップは、それぞれ第一スロットと第二スロットを提供し、前記第一スロットと前記第二スロットは共にＰＣＩ−Ｅ（ＰＣＩ-ＥＸｐｒｅｓｓ）のインターフェースであり、前記第一ディスプレイカードと前記第二ディスプレイカードは、それぞれ前記第一スロットと前記第二スロットに挿入されており、前記第一ディスプレイカードと前記第二ディスプレイカードは、上記コネクターを介して相互にデータを伝送しながら、共同で映像信号の処理を行うステップと、
処理された映像信号を、第一ディスプレイカードと第二ディスプレイカードとで分担しながら、第１ディスプレイカードと第二ディスプレイカードを介して出力するステップとを含むことを特徴とする。
【０００９】
また、本発明に係るマルチディスプレイカードの表示装置は、少なくとも一個の第一スロットを備え、この第一スロットはＰＣＩ−Ｅ（ＰＣＩ-Ｅｘｐｒｅｓｓ）のインターフェースを有する、第一チップとしてのノースブリッジチップと、少なくとも一個の第二スロットを備え、この第二スロットはＰＣＩ−Ｅ（ＰＣＩ-Ｅｘｐｒｅｓｓ）のインターフェースを有する、第二チップとしてのサウスブリッジチップと、前記第一スロットに挿入される第一ディスプレイカードと、
前記第二スロットに挿入される第二ディスプレイカードと、前記第一ディスプレイカードと前記第二ディスプレイカードの間でデータ伝送を行うように、前記第一ディスプレイカードと前記第二ディスプレイカードとを接続するコネクターとを備え、前記第一チップ及び前記第二チップがそれぞれ前記第一ディスプレイカード及び前記第二ディスプレイカードを制御し、前記第一ディスプレイカードと前記第二ディスプレイカードは、前記コネクターを介して相互にデータを伝送しながら、共同で演算処理を行い、前記ビデオ信号を出力することを特徴とする。
【発明の効果】
【００１０】
本発明のマルチディスプレイカードの表示装置及びその方法は、第一チップ（ノースブリッジチップ）と第二チップ（サウスブリッジチップ）がそれぞれ同時に第一ディスプレイカードと第二ディスプレイカードを制御し映像処理することを通じて、映像処理全体の作業能力の向上を可能にした。
【発明を実施するための最良の形態】
【００１１】
本発明の目的を達するために採用した技術や手段・効果をより一層理解するために、以下、本発明に関する詳細説明を添付図面を参照しながら詳細に説明する。以下の説明により、本発明の目的や特徴、特殊性について、より深く具体的な理解を得られるであろう。なお、添付図面は参考用と説明用のみに提供するのであり、本発明に対して制限を加えるために用いられるものではない。
【００１２】
図２は、本発明における好ましい実施形態のシステム構成図である。本実施形態のSLI（Scalable Link Interface）技術をサポートする表示装置は、第一チップ１０、第二チップ２０、第一ディスプレイカード３１、第二ディスプレイカード４１、コネクター５０を含む。
【００１３】
その中で第一チップ１０と第二チップ２０はそれぞれ第一スロット１１と第二スロット２１をサポートし、第一チップ１０はノースブリッジチップとなり得、第二チップ２０はサウスブリッジチップとなり得、本実施例で使用される第一スロット１１と第二スロット２１はそれぞれPCI-E×16規格に基づくスロットである。なお、通常のマザーボードにおける制御処理は、ノースブリッジチップのロジックチップ（チップ）及びサウスブリッジチップのチップとに分けられ、ＣＰＵに最も近寄るチップがノースブリッジチップと称され、他方がサウスブリッジチップと称される。
【００１４】
第一ディスプレイカード３１を第一スロット１１に挿入し、第二ディスプレイカード４１を第二スロット２１に挿入し，コネクター５０で第一ディスプレイカード３１・第二ディスプレイカード４１間を接続する。これにより、第一ディスプレイカード３１と第二ディスプレイカード４１はこのコネクター５０を介して相互にデータを伝送することが可能となる。
【００１５】
本実施例で使用される第一ディスプレイカード３１と第二ディスプレイカード４１はそれぞれ、SLI操作機能でサポートされ、第一ディスプレイカード３１と第二ディスプレイカード４１上のグラフィクチップ（GPU）（図示せず）は通信規格でサポートされ、かつ第一ディスプレイカード３１と第二ディスプレイカード４１も高速デジタルインターフェース（図示せず）でサポートされ、これによりコネクター５０が高速デジタルインターフェースに接続されてデータ伝送が可能となる。
【００１６】
ゆえに、第２図で示されたシステムを経由して、本実施形態でディスプレイを実行する場合、ドライバーによる制御を組み合わせて、並列処理方式により、第一チップ１０と第二チップ２０にそれぞれ、第一ディスプレイカード３１と第二ディスプレイカード４１の同時映像処理の演算を制御させ、かつコネクター５０による第一ディスプレイカード３１・第二ディスプレイカード４１間のデータ伝送を利用して、第一ディスプレイカード３１と第二ディスプレイカード４１の間の動態負荷バランスと色彩を制御すること、および機能を合成してフレーム率を確保する関連映像処理が可能となる。
【００１７】
そして、本実施例の中で、映像処理により出力されるビデオ信号は、メインカードとしての第一ディスプレイカード３１が出力を担当し、第二ディスプレイカード４１がサブカードの役割を担い、第一ディスプレイカード３１のデータ処理量の割り当てを補佐する。
【００１８】
上述のとおり、本実施例では既存のSLI技術で採用されているものと異なる構成を取り上げており、本実施例では２組のチップにそれぞれ、PCI-E×16スロットが供せられ、対応する二つのディスプレイカードを挿入し、ダブルチップセットがそれぞれ処理をすることにより、映像処理全体の作業性能を向上させることが可能となる。
【００１９】
従って、本発明は上述のように明らかにした技術により、既知のものとは全く異なる設計を取り上げ、全体的な使用価値を高めることができる。
【００２０】
これまでに取り上げた図式と説明は、本発明の実施例に過ぎず、この分野を熟知する技術者はもちろん、前記の説明に基づいて様々な変更を行っても構わないが、それらの変更は本発明の発明精神に帰属し、以下に限定される請求の範囲の中に帰属するものである。
【図面の簡単な説明】
【００２１】
【図１】既知のマルチディスプレイカードの系統構成図である。
【図２】本発明の好ましい実施形態の系統構成図である。
【符号の説明】
【００２２】
１０  第一チップ
１１  第一スロット
２０  第二チップ
２１  第二スロット
３１  第一ディスプレイカード
４１  第二ディスプレイカード
５０  コネクター
７０  ノースブリッジチップ
７１  第一スロット
７２  第二スロット
８１  第一ディスプレイカード
８２  第二ディスプレイカード
９０  コネクター
【図１】
0004129691.tif 000002
【図２】
0004129691.tif 000003